(57)【要約】【課題】  従来の技術における欠陥を克服可能なカップリングナットを提供すること。【解決手段】  ジャケットによって取り囲まれた外部導体を有する電気ケーブルに接続可能な電気コネクタ用カップリングナットが提供される。前記カップリングナットは、ケーブルの端部とコネクタの端部との間に延在したボアを有する円筒状の本体として形成される。ケーブルの端部の近傍でボアの側壁にある、傾斜したウェッジ表面を有する環状ウェッジ溝は、ケーブルの端部側にあるボアの側壁からウェッジ溝内にある底直径部まで延在する。ウェッジ溝内に保持されたスナップリングは、そのスナップリングの内部表面にグリップ部が形成されている。【選択図】  図２
2010015988.tif 000002
【特許請求の範囲】
【請求項１】
ジャケットによって取り囲まれた外部導体を有する電気ケーブルに接続可能な電気コネクタ用カップリングナットであって、
ケーブルの端部とコネクタの端部との間に延在したボアを有する円筒状の本体と、
環状のウェッジ溝と、
ケーブルの端部の近傍でボアの側壁にある傾斜したウェッジ表面であって、ケーブルの端部側にあるボアの側壁からウェッジ溝内にある底直径部まで延在している傾斜したウェッジ表面と、
ウェッジ溝内に保持されたスナップリングと、
グリップ部が設けられたスナップリングの内部表面と、
を備える電気コネクタ用カップリングナット。
【請求項２】
さらに、前記ウェッジ溝のコネクタ端部側に位置した、半径方向に内向き突出したショルダーを含む請求項１に記載の電気コネクタ用カップリングナット。
【請求項３】
前記内向き突出ショルダーは、前記外部導体の外径の近傍まで内向き突出している請求項２に記載の電気コネクタ用カップリングナット。
【請求項４】
さらに、前記ウェッジ溝と前記内向き突出ショルダーとの間で前記ボアの側壁にある環状ガスケット溝を含む請求項２に記載の電気コネクタ用カップリングナット。
【請求項５】
前記ガスケット溝内に収容されたガスケットをさらに含み、前記ガスケットは、前記ジャケットに対してシーリングするような寸法を有する請求項４に記載の電気コネクタ用カップリングナット。
【請求項６】
前記スナップリングは、前記ウェッジ表面に平行である、半径方向に外側に傾斜した表面を有する請求項１に記載の電気コネクタ用カップリングナット。
【請求項７】
前記グリップ部は、前記ジャケットが前記ケーブルの端部から前記コネクタの端部に向かって前記グリップ部を過ぎて摺動することができるように、且つ前記コネクタの端部から前記ケーブルの端部に向かって前記ジャケットが移動する間にそのジャケットを把持するようにする寸法を有した請求項１に記載の電気コネクタ用カップリングナット。
【請求項８】
前記グリップ部は、複数の環状バーブである請求項１に記載の電気コネクタ用カップリングナット。
【請求項９】
前記環状バーブは、前記ジャケットが前記ケーブルの端部から前記ボア内に挿入されるときには前記ジャケット上を通過するように、且つ前記ジャケットが前記ケーブルの端部に向かって除去されるときには前記ジャケットを把持するように傾斜したものである請求項８に記載の電気コネクタ用カップリングナット。
【請求項１０】
前記環状バーブは、らせん状ねじ山として形成されている請求項８に記載の電気コネクタ用カップリングナット。
【請求項１１】
さらに、前記カップリングナット（１）の外部表面と前記ウェッジ溝との間に、少なくとも１つの開口を含む請求項１に記載の電気コネクタ用カップリングナット。
【請求項１２】
さらに、前記コネクタ端部にある前記ボアの側壁にねじ山を含む請求項１に記載の電気コネクタ用カップリングナット。
【請求項１３】
前記スナップリングは、前記ケーブルの端部側に外径環状の傾斜面を有する請求項１に記載の電気コネクタ用カップリングナット。
【請求項１４】
前記底直径部は、前記スナップリングの外径部よりも大きい請求項１に記載の電気コネクタ用カップリングナット。
【請求項１５】
さらに、前記底直径部に挿入シートを含む請求項１に記載の電気コネクタ用カップリングナット。
【請求項１６】
さらに、傾斜したウェッジ表面のケーブル端部側に保持シートを含む請求項１に記載の電気コネクタ用カップリングナット。
【請求項１７】
ジャケットによって取り囲まれた外部導体を有する電気ケーブルに接続可能な電気コネクタ用カップリングナットであって、
ケーブルの端部とコネクタの端部との間に延在したボアを有する円筒状の本体と、
前記ケーブル端部の近傍で前記ボアの側壁にある環状のウェッジ溝と、
前記ケーブルの端部側で前記ボアの側壁から前記ウェッジ溝内にある底直径部まで延在している、ウェッジ溝の傾斜したウェッジ表面と、
前記ウェッジ溝内に保持されたスナップリングであって、前記ウェッジ表面に平行である外部傾斜した表面を有するスナップリングと、
複数の環状バーブが設けられた前記スナップリングの内部表面と、
前記ウェッジ溝のコネクタ端部側に位置して、前記外部導体の外径の近傍まで内向きに突出している環状の内向き突出ショルダーと、
前記ウェッジ溝と前記内向き突出ショルダーとの間で前記ボアの側壁にある環状ガスケット溝と、
前記ガスケット溝内に収容されたガスケットであって、前記ジャケットに対してシーリングするような寸法を有するガスケットと、
を備える電気コネクタ用カップリングナット。
【請求項１８】
ジャケットによって取り囲まれた外部導体を有する電気ケーブルに接続可能な電気コネクタ用カップリングナットであって、
ケーブルの端部とコネクタの端部との間に延在したボアを有する円筒状の本体と、
前記ボアの側壁にある環状のウェッジ溝であって、前記ケーブルの端部の近傍で傾斜したウェッジ表面を有し、ケーブルの端部側にある保持シートから底直径部にある挿入シートまで延在している環状のウェッジ溝と、
前記ウェッジ溝内に保持されたスナップリングと、
グリップ部が設けられた前記スナップリングの内部表面と、
を備える電気コネクタ用カップリングナット。
【請求項１９】
前記保持シート及びスナップリングは、前記スナップリングが前記保持シートに収容されたときに、前記スナップリングのグリップ部が前記ジャケットと係合するようにする寸法を有した請求項１８に記載の電気コネクタ用カップリングナット。
【請求項２０】
前記スナップリングは、前記保持シートに平行である外部表面を有する請求項１８に記載の電気コネクタ用カップリングナット。
【発明の詳細な説明】
【技術分野】
【０００１】
本発明は、電気ケーブルコネクタに関する。より詳細には、本発明は、ジャケット保持性能を有する、同軸ケーブルコネクタ用カップリングナットに関する。
【背景技術】
【０００２】
同軸ケーブルコネクタは、例えば、高水準の精密度及び信頼度が要求される通信システムに使用されている。
【０００３】
ケーブルとコネクタとの間に確実な機械的及び最適化された電気的な相互接続を形成するためには、同軸ケーブル外部導体の先端部とコネクタ本体との間に、概して均一な円周方向のコンタクトを有することが望ましい。外部導体のフレアー状端部は、カップリングナットを介して、コネクタ本体の環状ウェッジ表面に対して固定することができる。このような技術の代表的な例が、ハーワス（Ｈａｒｗａｔｈ）とまた出願人であるコムスコープ  インコーポレイテッド  オブ  ノース  カロライナ（ＣｏｍｍＳｃｏｐｅ，Ｉｎｃ．Ｎｏｒｔｈ  Ｃａｒｏｌｉｎａ）が所有し、１９９８年８月１８日に発行された特許文献１である。
【０００４】
カップリングナットには、ケーブルをカップリングナットボア内に同軸に整列して支持するために、また、カップリングナットと同軸ケーブルの外部ジャケットとの間で環境的なシーリングのための空間を設けるために、延長された本体を設けることができる。コネクタの重量及び材料費用を最小化するために、カップリングナットを短くすることが可能である。カップリングナットを短くした場合、同軸ケーブルとの整列及び同軸ケーブルに対する保持性がより一層重要となる。
【０００５】
従来、短いカップリングナットには、コネクタを組み立てるときに、ケーブルジャケットと係合して該ケーブルジャケットを保持する雌ねじ山が形成された。カップリングナットとケーブルジャケットとの間の保持性の品質は、ケーブル外部導体とジャケットの公差（ｔｏｌｅｒａｎｃｅ）に依存する。ねじ山は、カップリングナットとケーブルを回転方向に噛み合いさせるとともに、長手方向においてカップリングナットの大きな部分を占め、カップリングナットとジャケットとの間の環境的なシーリングに用いることのできる空間を減少させる。このような技術の代表的な例が、バッカーロ（Ｖａｃｃａｒｏ）とまた出願人であるコムスコープ  インコーポレイテッド  オブ  ノース  カロライナ（ＣｏｍｍＳｃｏｐｅ，Ｉｎｃ．Ｎｏｒｔｈ  Ｃａｒｏｌｉｎａ）が所有し、２００８年２月２６日に発行された特許文献２である。
【先行技術文献】
【特許文献】
【０００６】
【特許文献１】米国特許第５，７９５，１８８号
【特許文献２】米国特許第７，３３５，０５９号
【発明の概要】
【発明が解決しようとする課題】
【０００７】
同軸ケーブルコネクタ市場における競争は、電気性能の向上及び材料費用を含む全体費用の最小化、設置者の訓練要件、設置専用工具や必要とされる設置ステップ及び／または作業の総数の減少にその焦点が合わせられている。
【課題を解決するための手段】
【０００８】
したがって、本発明の目的は、従来の技術における欠陥を克服可能なカップリングナットを提供することである。
【０００９】
本明細書に組み込まれて、明細書の一部を構成する添付の図面は、本発明の実施形態を図示しているが、図面における類似の図面符号は同一の特徴または要素を示し、それらが現れているすべての図面で詳細に描写されていないこともあり、以上で与えられた本発明にかかる一般的な説明と共に、以下で与えられる実施形態にかかる詳細な説明は、本発明の原理を説明する役割をする。
【図面の簡単な説明】
【００１０】
【図１】同軸ケーブルの一部に取り付けられたカップリングナットの例示的な第１実施形態の概略等尺背面図である。
【図２】図１のカップリングナットに挿入される準備ができた同軸ケーブルの概略側断面図である。
【図３】図２の領域Ａを部分拡大した概略側断面図である。
【図４】図１のカップリングナットに部分的に挿入された同軸ケーブルを拡大した概略側断面図である。
【図５】図４の領域Ｂを部分拡大した概略側断面図である。
【図６】図１のカップリングナット内に収容された同軸ケーブルを拡大した概略側断面図である。
【図７】図６の領域Ｃを部分拡大した概略側断面図である。
【図８】図１のカップリングナットからの引出張力（ｗｉｔｈｄｒａｗａｌ  ｔｅｎｓｉｏｎ）を受けている同軸ケーブルの概略側断面図である。
【図９】図８の領域Ｄを部分拡大した概略側断面図である。
【図１０】スナップリングの概略的な等尺図である。
【図１１】ケーブルの一部に設置された、スナップリング解除開口を有するカップリングナットの概略側面図である。
【図１２】ケーブルの一部に取り付けられた、スナップリング解除開口を有するカップリングナットの概略平面図である。
【図１３】同軸ケーブルの一部に取り付けられたカップリングナットの例示的な別の実施形態の概略等尺切断背面図である。
【図１４】図１３のカップリングナットに挿入される準備ができた同軸ケーブルの概略側断面図である。
【図１５】図１４の領域Ａを部分拡大した概略側断面図である。
【図１６】図１３のカップリングナットに部分的に挿入された同軸ケーブルを拡大した概略側断面図である。
【図１７】図１６の領域Ｂを部分拡大した概略側断面図である。
【図１８】図１３のカップリングナット内に収容された同軸ケーブルを拡大した概略側断面図である。
【図１９】図１８の領域Ｃを部分拡大した概略側断面図である。
【図２０】図１３のカップリングナットからの引出張力を受けている同軸ケーブルの概略側断面図である。
【図２１】図２０の領域Ｄを部分拡大した概略側断面図である。
【発明を実施するための形態】
【００１１】
本発明者は、入手可能なカップリングナットの分析を行い、ケーブルジャケットと係合する雌ねじ山をカップリングナットに形成することで作製されるカップリングナットと同軸ケーブルの間の回転方向での噛み合いが、たびたび内部導体にダメージを与えることを認識した。外部導体の先端部を固定するために、コネクタ本体でカップリングナットのねじ切りを行う間に、内部導体がコネクタ本体内で繰り返して回転することにより、金属の切削屑が生成されるおそれがある。これらの金属の切削屑は、ケーブルとコネクタの相互接続電気性能の重要な因子となる、相互変調歪み（ｉｎｔｅｒ−ｍｏｄｕｌａｔｉｏｎ  ｄｉｓｔｏｒｔｉｏｎ、ＩＭＤ）の原因である。ジャケットとカップリングナットとの間のねじ結合により、ケーブル端部の準備及び追加の組み立てステップ、ジャケットにおけるカップリングナットのねじ切りの間に精密度のための付加的な要件が加えられる。また、得られるねじ係合による相互接続は、特に、製造業者の異なるケーブル等の間で、ジャケットの寸法に関連して観察される変化に対して、要求される公差により制限された保持強度を有する。
【００１２】
図１〜図９に示したように、本発明の例示的な第１実施形態にかかるカップリングナット１によると、ジャケット３とカップリングナット１との間に接続が提供されつつ、カップリングナット１とジャケット３との間、したがって、カップリングナットとケーブル５の間で、回転方向の噛み合いが除去されて、ケーブル５にかけられる引出力（ｗｉｔｈｄｒａｗａｌ  ｆｏｒｃｅ）が増加することによって保持力が増加し、それによってケーブル５は、カップリングナット１と同軸に固定されて、保持される。カップリングナット１は、ケーブル端部１１とコネクタ端部１３との間に延在されたボア９を有する円筒状の本体７を有する。選択されたコネクタインターフェースにもよるが、カップリングナット１は、コネクタ端部１２の近傍でボア９の側壁１７にねじ山１０を有することができる。
【００１３】
当分野における当業者は、ケーブルの端部１１及びコネクタの端部１３、さらにケーブル端部１１側及びコネクタ端部１３側が、カップリングナット１の多様な部材間の相互関係及び長手方向の位置を明確にするために本明細書で使用された技術的な用語であることが理解できるはずである。ボア９の一端部で規定された位置の他にも、それぞれの個別部材は、ケーブル端部１１側及びコネクタ端部１３側、すなわちカップリングナット１のそれぞれのケーブル端部１１とコネクタ端部１３に向き合う各部材の側を有する。
【００１４】
ケーブル端部１１の近傍で側壁１７に、環状のウェッジ溝１５が形成されている。ケーブル端部１１側にあるボア９の側壁１７からウェッジ溝１５内にある底直径部１９まで延在している、ウェッジ溝１５の傾斜したウェッジ表面１４は、ウェッジ溝１５内に保持されたスナップリング２１のための案内部として機能する。スナップリング２１がケーブルの端部１１に向かって横方向に移動して、ウェッジ表面１４と係合すると、スナップリング２１は、またケーブル５に向かって、半径方向内側に向け直すようになる。図１０に明示されているように、スナップリング２１とウェッジ表面１４との間の機械的な相互作用を強化するために、ウェッジ表面１４に略平行であり及び／またはそうでなければウェッジ表面１４に対して相互補完的である、傾斜したリダイレト表面（ｒｅｄｉｒｅｃｔ  ｓｕｒｆａｃｅ）２３をスナップリング２１に形成することができる。スナップリング２１がウェッジ溝１５内に拘束されることを防止するために、ケーブル５に挿入する前に、底直径部１９よりも小さい外径部をスナップリング２１に形成することができる。
【００１５】
スナップリング２１の内部表面２５には、グリップ部２７、例えば、複数の環状バーブ（ｂａｒｂ（ｓ））２９が形成されている。グリップ部２７は、方向性を有していてもよく、例えば、ジャケット３が、ケーブルの端部１１側からコネクタの端部１３側に向かってグリップ部２７を過ぎて摺動することができるように、そして、コネクタの端部１３側からケーブルの端部１１側に向かって移動する間にジャケット３を把持することができるように構成することができる。グリップ部２７が１つ以上の環状バーブ２９である場合、方向性は、ケーブルの端部１１側には傾斜した表面を、またコネクタの端部１３側には垂直方向の表面を有する環状バーブ２９を形成することによって達成することができる。或いは、環状バーブをらせん状ねじ山構成で形成することができるが、この場合、環状バーブ２９のねじ解け（ｕｎｔｈｒｅａｄｉｎｇ）を介して、結合されたカップリングナット１をジャケット３から除去することができる。スナップリング２１を通じた初期挿入のときに、スナップリング２１のケーブルの端部１１側に、ケーブル５の外部導体３３のための中心合わせ案内部として機能する傾斜面３１を形成することができる。費用の最小化のために、重合体材料から、例えば、射出成形によってスナップリング２１を製造することができる。
【００１６】
ウェッジ溝１５のコネクタ端部１３側に位置した、内向きに突出したストッパ部またはショルダー３５が、ボア９に挿入されるケーブル５用ストッパ部として追加されてもよく、これらは、コネクタを組み立てる際に、選択されたコネクタ本体との適切な係合のために、ケーブル５の端部を横方向で位置決定する。内向き突出ショルダー３５は、外部導体３３の外径の近傍まで内向きに突出する寸法を有することができ、これにより、内向き突出ショルダー３５は、ケーブル５の中心合わせ機能を提供し、挿入の際に、ジャケット３のケーブル端部が内向き突出ショルダー３５に当接するまでケーブル５をカップリングナット１と同軸に保持する。ターニングセンター（ｔｕｒｎｉｎｇ  ｃｅｎｔｅｒ）による製造の容易性のために、内向き突出ショルダー３５は、環状ショルダーとして形成されてもよい。
【００１７】
カップリングナット１は、好ましくはウェッジ溝１５と内向き突出ショルダー３５との間で側壁１７に位置した環状のガスケット溝３７の付加により、環境的にシーリングすることができる。ガスケット溝３７内に位置したエラストマー製のＯリングのようなガスケット３９は、ジャケット３に対してシーリングできる寸法を有する。
【００１８】
使用するとき、図２及び３に明示されているように、ケーブルの端部は、内部導体４１及び外部導体３３が所望の長さだけ露出するようにまた剥がされて、そのケーブル端部は、カップリングナット１のボア９内に挿入される。ジャケット３の先端部がスナップリング２１の傾斜面３１と接触するようになると、図４及び５に明示されているように、スナップリング２１は、ウェッジ溝１５のコネクタ端部１３側に向かって押されて、ウェッジ溝１５内に半径方向の外側に広がることになる。ケーブル５がボア９内へ十分進むと、図６及び７に明示されているように、ジャケット３は、内向き突出ショルダー３５と当接する。このとき、スナップリング２１は、ウェッジ溝１５内において制限された範囲の横方向移動を有するようになる。カップリングナット１は、コネクタ本体を受け入れる準備ができた状態でケーブル端部に側方向に位置され、カップリングナット１は、ケーブル端部の周りで回転可能であり、スナップリング２１は、ウェッジ溝１５内で回転可能である。
【００１９】
押す力または引く力がケーブル５及び／またはカップリングナット１にかけられると、ケーブル５は、カップリングナット１に対してケーブルの端部１１側に向かって移動するようになり、グリップ部２７がジャケット３と係合し、スナップリング２１をウェッジ表面１４内に引いて、スナップリング２１を半径方向の内側に追いやり、ジャケット３との中心合わせ接触を次第により確実なものとし、このようにして、図８及び９に明示されているように、カップリングナット１に対してケーブル５がそれ以上移動することができなくなるようにする。
【００２０】
カップリングナット１をケーブル５から解除するために、傾斜面３１とジャケット３との間にはさみ金（ｓｈｉｍ）を挿入して、スナップリング２１を、コネクタの端部１３に向かって、且つジャケット３との係合が解除されるように半径方向の外側に向かって追いやることができる。或いは、カップリングナット１は、例えば、図１、図１１及び図１２に示したように、カップリングナット１の外径部とウェッジ溝１５との間に開口４３を有するように構成することができる。開口４３は、ウェッジ溝１５と交差するスロットとして形成することができる。開口４３を介して、スナップリング２１をウェッジ溝１５のコネクタ端部１３側に向かって押すと、スナップリング２１がウェッジ表面１４から解除され、これによってスナップリング２１はジャケット３から解除されて、ケーブル５をカップリングナット１から引き抜くことができる。
【００２１】
また、別の実施形態において、図１３〜図２１に示したように、ウェッジ溝１５は、底直径部１９に挿入シート４５を、さらにウェッジ表面１４のケーブル端部１１側に保持シート４７を備えるように形成することができる。スナップリング２１は、挿入シート４５及び保持シート４７に対して相互補完的な外径表面を有する。スナップリング２１のリダイレクト表面２３は、丸みのある端部として形成することができる。
【００２２】
図１４及び１５に示したように、挿入シート４５は、ケーブル５を挿入する前にスナップリング２１のための空間を提供する。ケーブル５を挿入する間（図１６及び１７）、スナップリング２１が挿入シート４５内にもっと広がるようになり、スナップリング２１が広がってジャケット３上を通過することができるようになる。
【００２３】
押す力または引く力がケーブル５及び／またはカップリングナット１にかけられると、ケーブル５は、カップリングナット１に対してケーブル端部１１側に向かって移動し、グリップ部２７がジャケット３と係合し、挿入シート４５により安定したスナップリング２１をウェッジ表面１４内に引いて（図１８及び図１９）、スナップリング２１を半径方向の内側に追いやり、図２０及び２１に明示されているように、ケーブル５に対して保持された保持シート４７内にスナップリング２１が最終的に位置決められるときまで、ジャケット３との中心合わせ接触を次第により確実なものとする。
【００２４】
保持シート４７を適用することで、カップリングナット１の長さに関する要求が増加されるにもかかわらず、保持シート４７は、スナップリング２１に対してケーブル端部１１側に向かって移動するようにカップリングナット１を偏向させる設置位置でのウェッジ表面１４とスナップリング２１との間の係合を不要とするため、第１実施形態に比較して、ケーブル５におけるカップリングナット１の安全性を増加させる。
【００２５】
当分野における当業者は、本発明によって幾つかの改善が達成されることを理解できるはずである。カップリングナット１は、多様な厚さ及び／または表面特性のジャケット３を有する幅広い種類の他のケーブル５と一緒に使用することができる。カップリングナット１がコネクタを組み立てる間にケーブル５に対して回転可能であることから、内部導体スプリングバスケットでの金属の切削屑の生成及び／または内部導体４１の周りでのスプリングバスケットの回転による内部導体４１の他の劣化が排除される。従来の複雑な内部ジャケットのねじ山加工作業が不要となる。ジャケット３とカップリングナット１との間で、従来のねじ山形成作業が不要となる。ガスケット３９のために利用可能な空間が増加し、ジャケット３を横切るガスケット３９の移動距離が減少して、より広い幅のガスケット３９を使用することができ、ジャケット３との接触面積がより大きくなり、環境的なシーリングが向上する。ケーブル５がカップリングナット１に対してより一層強固に維持され、ケーブル５とコネクタとの間の相互接続強度が向上する。ケーブル５は、離れている２つの地点でカップリングナット１内に同軸に支持されて、ケーブルが移動する可能性が減少し、相互変調歪み（ＩＭＤ）が発生する可能性が減少する。さらに、コンパクトでありながら、もっと強固に支持される構成によって、コンパクトで傾斜したコネクタ構成、例えば、直角コネクタ、パネル取り付けケーブルなどが可能となる。最後に、設置が非常に単純であり、従来には、ジャケット３でねじ切りのためにカップリングナット１を把持するために必要であった工具が不要となる。
【００２６】
以上の説明で、公知となった同等物を有する材料、比率、完全体または構成要素に言及したが、そのような同等物は、あたかも個別的に記載されているように本明細書に組み込まれる。
【００２７】
本発明の実施形態にかかる説明によって本発明を説明し、その実施形態を非常に詳しく説明したが、そのような詳細な説明で添付の特許請求の範囲の保護範囲を限定したり、如何なる方法であっても制限することは、本出願人の意図から外れることである。当分野における当業者には、更なる利点及び修正が容易に理解され得る。したがって、本発明の広範な態様は、説明して図示した特定の細部内容、代表的な装置、方法及び実施例に限定されるものではない。したがって、本出願人の発明の概念または保護範囲から逸脱することなく、細部内容の修正を行うことができる。さらに、以下の特許請求の範囲によって規定される本発明の保護範囲から逸脱することなく、改善及び／または変形が成立可能であることを理解しなければならない。
【符号の説明】
【００２８】
１：カップリングナット
３：ジャケット
５：ケーブル
７：本体
９：ボア
１０：ねじ山
１１：ケーブル端部
１３：コネクタ端部
１４：ウェッジ表面
１５：ウェッジ溝
１７：側壁
１９：底直径部
２１：スナップリング
２３：リダイレクション表面
２５：内部表面
２７：グリップ部
２９：環状バーブ
３１：傾斜面
３３：外部導体
３５：ショルダー
３７：ガスケット溝
３９：ガスケット
４１：内部導体
４３：開口
４５：挿入シート
４７：保持シート
【図１】
2010015988.tif 000003
【図２】
2010015988.tif 000004
【図３】
2010015988.tif 000005
【図４】
2010015988.tif 000006
【図５】
2010015988.tif 000007
【図６】
2010015988.tif 000008
【図７】
2010015988.tif 000009
【図８】
2010015988.tif 000010
【図９】
2010015988.tif 000011
【図１０】
2010015988.tif 000012
【図１１】
2010015988.tif 000013
【図１２】
2010015988.tif 000014
【図１３】
2010015988.tif 000015
【図１４】
2010015988.tif 000016
【図１５】
2010015988.tif 000017
【図１６】
2010015988.tif 000018
【図１７】
2010015988.tif 000019
【図１８】
2010015988.tif 000020
【図１９】
2010015988.tif 000021
【図２０】
2010015988.tif 000022
【図２１】
2010015988.tif 000023